(57)【要約】【課題】  電気配線工事業者の工事回数が少なく、間仕切り壁の立設位置を変更したり、追加したりする場合にも容易に対応できる。【解決手段】  上面に配線用凹溝部１を複数縦横に交差連通させて形成した床下地２を床スラブ３の上方に空間１３を介して形成する。その後、床下地２上の任意の位置に間仕切り壁用骨組み体４を形成する。次に、床下地２の配線用凹溝部１、間仕切り壁用骨組み体４内を通るように配線ケーブル５を配線する配線工事を行う。次に、床下地２の上に床仕上げ工事を行うと共に間仕切り壁用骨組み体４に間仕切り用内装仕上げ工事を施工する。【選択図】        図１
2005076282.tif 000002
【特許請求の範囲】
【請求項１】
上面に配線用凹溝部を複数縦横に交差連通させて形成した床下地を床スラブの上方に空間を介して形成し、その後、床下地上の任意の位置に間仕切り壁用骨組み体を形成し、その後、床下地の配線用凹溝部、間仕切り壁用骨組み体内を通るように配線ケーブルを配線する配線工事を行い、次に、床下地の上に床仕上げ工事を行うと共に間仕切り壁用骨組み体に間仕切り用内装仕上げ工事を施工することを特徴とする配線工事を含む屋内建築工法。
【請求項２】
間仕切り壁用骨組み体を形成する際に用いる下横枠の下部が配線用ダクト部となり且つ上部が間仕切り壁用骨組み体のスタッドを立設する部分となり、配線用ダクト部の底面部に長手方向に複数の下側ケーブル通し孔を形成すると共に配線用ダクト部の上面部に長手方向に複数の上側ケーブル通し孔を形成し、配線工事において、該配線用ダクト部の一側面を開口させ、配線用凹溝部、下側ケーブル通し孔、配線用ダクト部内の空間、上側ケーブル通し孔、間仕切り壁用骨組み体のスタッド間の空所に一連に配線ケーブルを通すことを特徴とする請求項１記載の配線工事を含む屋内建築工法。
【発明の詳細な説明】
【技術分野】
【０００１】
本発明は、配線工事を含む屋内建築工法に関するものである。
【背景技術】
【０００２】
従来、配線工事を含む屋内建築工法としては、一般的に以下のような順序で行われている。
【０００３】
まず図１０（ａ）のように電気配線工事業者により床スラブ３上に床配線工事をしたり天井配線工事等の電気配線工事を行なった後、床下地施工業者（フロア施工業者）が床スラブ３上に墨出しを行って図１（ｂ）のように支持脚１４を立設すると共に床パネル１５を支持脚１４に載設支持させることで床下地２を床スラブ３の上方に空間１３を介して形成し（この時床下地施工業者は床下地２におけるあらかじめ決められている間仕切り壁用骨組み体４の立設予定箇所に配線ケーブル５の立ち上げ用の孔４０加工を行う）、次に、図１０（ｃ）のように軽鉄工事業者が軽鉄よりなる間仕切り壁用骨組み体４を床下地２の上記配線ケーブル５の立ち上げ用の孔４０を施した部分の上に形成する。この場合、間仕切り壁用骨組み体４の下横枠６に上記床下地２の孔４０と連通する通線孔４１を形成する。次に、図１０（ｄ）のように電気配線工事業者があらかじめ配線しておいた配線ケーブル５を床下地２に形成した配線ケーブル５の立ち上げ用の孔４０から間仕切り壁用骨組み体４の下横枠６通線孔４１を通して間仕切り壁用骨組み体４内に立ち上げる電気工事を行い、次に、図１０（ｅ）のように内装仕上げ業者が床下地２の上に床仕上げ材２５を敷設する床仕上げ工事を行うと共に間仕切り壁用骨組み体４に壁仕上げ材２６を取着する間仕切り用内装仕上げ工事を行ない、その後、電気配線工事業者が壁仕上げ材に孔を開け、この孔から間仕切り壁用骨組み体４内に挿通していた配線ケーブル５を壁仕上げ材の外に引出してコンセントやスイッチ等の配線器具２０に接続すると共に配線器具２０を上記壁仕上げ材の孔部分に取付ける電気配線仕上げ工事を行っていた。
【０００４】
上記のような従来例においては、あらかじめ間仕切壁を形成する位置が決められており、このようにあらかじめ決められた位置に立設する間仕切り壁内に配線ケーブル５を配線するような工法であり、このため、間仕切り壁の位置変更や追加には従来の工法では対応できないという問題があった。
【０００５】
また、上記のような従来例において電気配線工事業者は、（ａ）段階、（ｄ）段階、最終の電気配線仕上げ工事段階という３段階の工事が必要であり、工事が煩雑で時間がかかり、特に電気配線工事業者には負担が大きいという問題があった。
【０００６】
一方、床スラブ上に直接配線ケーブルを配線すると配線ケーブルが汚れたり、配線が乱れたりするので、これを防止するために、上面に縦横に配線用凹溝部を形成し、この配線用凹溝部に蓋を被せ、縦、横の配線用凹溝部の交差する部分に被せるコーナ蓋に配線ケーブルの引出し口を設けた床下地を床スラブの上方に空所を介して形成した二重床装置も従来から知られている。（例えば、特許文献１参照）
ところが、このような二重床装置を用いたものも、コーナ蓋に設けた配線ケーブルの引出し口から配線ケーブルを引出しものであり、このため、間仕切り壁を形成する場合、引出し口の位置に対応した位置にしか間仕切壁を形成できず、したがって、あらかじめ決められた位置にしか間仕切壁を形成できないものであり、間仕切壁の立設位置の変更や追加には対応することができなかった。
【０００７】
つまり、いずれの従来例においても、間仕切壁の立設位置を変更したり、追加したりすることができるような工法は提供されていなかった。ところが、近年、新築、改築におけるマンション等の内装建築工事において、各戸別にオーダメイドで間仕切りして内装する要望が強くなっており、このような場合に、各戸別に間仕切壁の立設位置を変更したり、追加したりするのに簡単に適応できるような配線工事を含む屋内建築工法が強く望まれているのが現状である。
【特許文献１】特開平６−１５８８２８号公報
【発明の開示】
【発明が解決しようとする課題】
【０００８】
本発明は上記の従来の問題点に鑑みて発明したものであって、電気配線工事業者の工事回数が少なく、間仕切り壁の立設位置を変更したり、追加したりする場合にも容易に対応できる配線工事を含む屋内建築工法を提供することを課題とするものである。
【課題を解決するための手段】
【０００９】
上記課題を解決するために本発明に係る配線工事を含む屋内建築工法は、上面に配線用凹溝部１を複数縦横に交差連通させて形成した床下地２を床スラブ３の上方に空間１３を介して形成し、その後、床下地２上の任意の位置に間仕切り壁用骨組み体４を形成し、その後、床下地２の配線用凹溝部１、間仕切り壁用骨組み体４内を通るように配線ケーブル５を配線する配線工事を行い、次に、床下地２の上に床仕上げ工事を行うと共に間仕切り壁用骨組み体４に間仕切り用内装仕上げ工事を施工することを特徴とするものである。
【００１０】
このような方法を採用することで、床下地施工業者（フロア施工業者）による床下地２の施工、その後の軽鉄工事業者による間仕切り壁用骨組み体４の施工の前には電気配線工事業者による電気配線工事が必要でなく、間仕切り壁用骨組み体４の施工後になってはじめて、電気配線工事業者によって床下地２の上面に形成した複数縦横に交差連通させて形成した配線用凹溝部１に配線ケーブル５を配線すると共に間仕切り壁用骨組み体４内に配線する電気工事を行えばよくて、従来に比べて電気配線工事業者による電気配線工事の回数を少なくできて配線工事を含む屋内建築工事の施工が簡略化すると共に施工期間も短縮できるものであり、しかも、このように電気配線工事業者による電気配線工事を間仕切り壁用骨組み体４の施工後に行うことでよいので、床下地２の上の任意の位置に間仕切り壁用骨組み体４を形成したとしても、つまり、間仕切り壁用骨組み体４の立設位置を変更したり、追加したりする場合であっても、床下地２の配線用凹溝部１、間仕切り壁用骨組み体４内を通るように配線ケーブル５を配線する配線工事を行うことができ、間仕切り壁の立設位置を変更したり、追加したりする場合にも容易に対応できるものである。
【００１１】
また、間仕切り壁用骨組み体４を形成する際に用いる下横枠６の下部が配線用ダクト部７となり且つ上部が間仕切り壁用骨組み体４のスタッド８を立設する部分となり、配線用ダクト部７の底面部に長手方向に複数の下側ケーブル通し孔９を形成すると共に配線用ダクト部７の上面部に長手方向に複数の上側ケーブル通し孔１０を形成し、該配線用ダクト部７の一側面を開口させ、配線工事において、配線を配線用凹溝部１、下側ケーブル通し孔９、配線用ダクト部７内の空間１１、上側ケーブル通し孔１０、間仕切り壁用骨組み体４のスタッド８間の空所１２に一連に配線ケーブル５を通すことが好ましい。
【００１２】
このような方法を採用することで、床下地２の任意の位置に間仕切り壁用骨組み体４を形成した後に、床下地２の配線用凹溝部１、間仕切り壁用骨組み体４内を通るように配線ケーブル５を配線する配線工事を行うに当たり、配線ケーブル５を、床下地２の上に縦横に形成した配線用凹溝部１に配線し且つ配線用凹溝部１の間仕切り壁用骨組み体４に対応した位置から下横枠６の下側ケーブル通し孔９、配線用ダクト部７内の空間１１、上側ケーブル通し孔１０、間仕切り壁用骨組み体４のスタッド８間の空所１２に一連に通すことができ、しかも、この配線作業において配線用ダクト部７の一側面を開口させてあるので、この側面開口を利用して配線用凹溝部１と下側ケーブル通し孔９との通線作業、配線用ダクト部７内の空間１１内を目的とする上側ケーブル通し孔１０箇所まで這わせる配線作業、配線用ダクト部７内の空間１１と上側ケーブル通し孔９とスタッド８間の空所１２との通線作業が簡単且つ容易に行えるものである。
【発明の効果】
【００１３】
本発明は、床下地施工業者による床下地の施工、その後の軽鉄工事業者による間仕切り壁用骨組み体の施工の前には電気配線工事業者による電気配線工事が必要でなく、間仕切り壁用骨組み体の施工後になってはじめて、電気配線工事業者によって床下地の上面に形成した複数縦横に交差連通させて形成した配線用凹溝部に配線ケーブルを配線すると共に間仕切り壁用骨組み体内に配線する電気工事を行えばよくて、従来に比べて電気配線工事業者による電気配線工事の回数を少なくできて配線工事を含む屋内建築工事の施工が簡略化すると共に施工期間も短縮できるものであり、しかも、このように電気配線工事業者による電気配線工事を間仕切り壁用骨組み体の施工後に行うことでよいので、間仕切り壁用骨組み体の立設位置を変更したり、追加したりする場合であっても、床下地の配線用凹溝部、間仕切り壁用骨組み体内を通るように配線ケーブルを配線する配線工事を行うことができ、間仕切り壁の立設位置を変更したり、追加したりする場合にも容易に対応でき、これにより間取りを自由に選べるオーダメイド化に対応できるものである。
【発明を実施するための最良の形態】
【００１４】
以下、本発明を添付図面に示す実施形態に基いて説明する。
【００１５】
本発明においてはまず床下地施工業者（フロア施工業者）によって床スラブ３の上に床下地２を形成する床下地工事を行う。床下地工事に当たっては、床スラブ３上面に墨出しを行ない、次に、図１に示すように支持脚１４を床スラブ３上に立設し、該支持脚１４に床下地２を構成する床パネル１５と配線トレイ１６とを設置し、配線トレイ１６は長手方向の両端部を隣接する支持脚１４に設置するものであり、また、床パネル１５は正方形状をしていて四隅部分を支持脚１４に設置するものであり、上記配線トレイ１６が隣接する床パネル１５間に沿って配置されることになる。ここで、縦方向、横方向に配置された複数の配線トレイ１６は上方が開口していると共に支持脚１４の上面の上方の空間部分を介して縦横に連通しており、したがって、上記複数の配線トレイ１６と支持脚１４の上面とで複数縦横に交差連通する配線用凹溝部１が形成してあることになる。このようにして上面に配線用凹溝部１を複数縦横に交差連通させて形成した床下地２を床スラブ３の上方に空間１３を介して形成する。
【００１６】
上記のような床下地施工業者による床下地２の形成が終わると、次に、軽鉄工事業者による軽鉄よりなる間仕切り壁用骨組み体４の工事を行う。間仕切り壁用骨組み体４の工事に当たっては、まず、下横枠６を間仕切壁用骨組み体４を形成しようとする床下地２の位置に設置し、次に、下横枠６上にスタッド８を立設し、スタッド８の上端部間は上横枠（図示せず）に固定することで図２に示すように間仕切用骨組み体４を形成する。
【００１７】
本発明で使用する下横枠６は軽鉄により形成してあって、図９に示すようなもので、下横枠６の下部が一側方に開口した断面コ字状をした配線用ダクト部７となっており、上部がスタッド８を立設するための断面Ｕ字状をしたスタッド立設部１７となっている。配線用ダクト部７の底面部を構成する下横片１８には長手方向に沿って複数の下側ケーブル通し孔９が一定間隔を隔てて形成してあり、下側ケーブル通し孔９と隣接する下側ケーブル通し孔９との間の間隔が前述の配線用凹溝部１の溝巾よりも狭くなっている。したがって、下横枠６を床下地２の任意の位置に設置した場合、配線用ダクト部７の底面部を構成する下横片１８の長手方向に沿って複数形成した下側ケーブル通し孔９のいずれかが縦横に交差連通した配線用凹溝部１のいずれかの部分と上下方向に連通することになる。
【００１８】
配線用ダクト部７の上面部を構成する上横片１９には長手方向に沿って複数の上側ケーブル通し孔１０を形成してある。上横片１９は上記のように配線用ダクト部７の上面部を構成すると共に断面Ｕ字状をしたスタッド立設部１７の底面部を構成している。上横片１９の長手方向に沿って複数設けた上側ケーブル通し孔１０は、スタッド立設部１７に立設する隣接するスタッド８間に少なくとも１つ以上の上側ケーブル通し孔１０が位置するように形成してある。
【００１９】
上記のような軽鉄工事業者による間仕切り壁用骨組み体４の形成工事が終わると、次に、電気配線工事業者による電気配線工事を行う。電気配線工事は、図３に示すように、電線や信号線等の配線ケーブル５を、床下地２の上に縦横に形成した配線用凹溝部１に配線し且つ配線用凹溝部１の間仕切り壁用骨組み体４に対応した位置から下横枠６の下側ケーブル通し孔９、配線用ダクト部７内の空間１１、上側ケーブル通し孔１０、間仕切り壁用骨組み体４のスタッド８間の空所１２に一連に通して配線工事を行うものである。この配線作業において、上記のように下横枠６の下部の配線用ダクト部７の一側面を開口させてあるので、この側面開口を利用して配線用凹溝部１と下側ケーブル通し孔９との通線作業、配線用ダクト部７内の空間１１内を目的とする上側ケーブル通し孔１０箇所まで這わせる配線作業、配線用ダクト部７内の空間１１と上側ケーブル通し孔９とスタッド８間の空所１２との通線作業が簡単且つ容易に行えるものである。図５、図６にはそれぞれ配線用凹溝部１と下横枠６内とに配線ケーブル５を配線している状態を示している。
【００２０】
ここで、図３に示すように電気配線工事において間仕切り壁用骨組み体４の任意のスタッド８の側面の任意の高さにはコンセントやスイッチ等の配線器具２０を取付け、スタッド８間の空所１２に通線した配線ケーブル５を接続したり、あるいは、図７に示すように、天井２１に天井用ジョイントボックス２２を取付け、この天井用ジョイントボックス２２から間仕切り壁用骨組み体４の任意のスタッド８間の空所１２を通して上側ケーブル通し孔１０、配線用ダクト部７内の空間１１、下側ケーブル通し孔９を経て、床下地２上に縦横に形成した配線用凹溝部１に通線し、床下地２の任意の位置に配線ケーブル５を通線するようにしてもよい。また、図８のように任意の配線用凹溝部１から間仕切り壁又は間仕切り壁以外の壁内を通して天井２１に取付けるシーリングローゼット３０に配線して接続するようにしてもよい。また、図７、図８に示すように、配線用凹溝部１の任意の位置（特に支持脚１４の上面位置）に床用ジョイントボックス２３を配置したり、配線用ダクト部７内の空間１１に間仕切壁用ジョイントボックス２４を配置したりして上記配線ケーブル５を接続して分岐接続するようにしてもよい。
【００２１】
なお、下横枠６の下部の配線用ダクト部７の側方開口にはカバー材（図示せず）を着脱自在に取付ける。
【００２２】
上記のような電機配線工事業者による電機配線工事が終わると、次に、内装仕上げ業者による床仕上げ工事を行うと共に間仕切り用内装仕上げ工事を行う。この場合、内装仕上げ業者は間仕切り壁以外の壁の内装仕上げや天井の内装仕上げ工事も行うものである。床仕上げ工事は床下地２上に床仕上げ材２５を敷設する工事であり、床仕上げ材２５を床下地２上に敷設することで床下地２の上面に縦横に連通形成した配線用凹溝部１を覆い隠すことができるものである。また、間仕切り壁用骨組み体４の両面に壁仕上げ材２６を取着することで間仕切り壁を形成するものである。ここで、カバー材を取付けた下横枠６は床仕上げ材２５と壁仕上げ材２６とのなすコーナ部分に位置するので、床仕上げ材２５と壁仕上げ材２６を施工した状態で下横枠６が露出するようにすることで、該下横枠６を幅木として兼用することができるものである。もちろん床仕上げ材２５と壁仕上げ材２６とのなすコーナ部分に別体の幅木を取付けてもよいものである。
【００２３】
このような内装仕上げ業者による床仕上げ工事や間仕切り用内装仕上げ工事等の内装仕上げ工事が終わると、最後に電気配線工事業者が、コンセントやスイッチ等の配線器具２０の配設位置に対応する壁仕上げ材２６位置に孔を開けて配線器具２０を孔に臨ませ、配線器具２０に配線カバー等を取付けて孔の周囲を塞いで配線器具２０の配線カバーを壁仕上げ材２６の前面に露出させる。
【００２４】
以上の順序で建物の内部において配線工事を含む屋内建築工事を行うのであるが、本発明においては、上記のように、床下地施工業者（フロア施工業者）による床下地２の施工、その後の軽鉄工事業者による間仕切り壁用骨組み体４の施工の前には電気配線工事業者による電気配線工事が必要でなく、間仕切り壁用骨組み体４の施工後になってはじめて、電気配線工事業者によって床下地２の上面に形成した複数縦横に交差連通させて形成した配線用凹溝部１に配線ケーブル５を配線すると共に間仕切り壁用骨組み体４内に配線する電気工事を行えばよいものである。このため、床下地施工業者（フロア施工業者）による床下地２の施工に先だって電気配線工事業者により床スラブ上に床配線工事を行わなければならない従来に比べて電気配線工事業者による電気配線工事の回数を少なくできて配線工事を含む屋内建築工事の施工が簡略化すると共に施工期間も短縮できることになる。しかも、本発明においては上記のように電気配線工事業者による電気配線工事を間仕切り壁用骨組み体４の施工後に行うことでよいので、新築あるいは改築いずれの場合であっても、床下地２の上の任意の位置に間仕切り壁用骨組み体４を形成したとしても、つまり、間仕切り壁用骨組み体４の立設位置を現場で自由に設定したり、変更したり、追加したりする場合であっても、床下地２の配線用凹溝部１、間仕切り壁用骨組み体４内を通るように配線ケーブル５を配線する配線工事を行うことができるものである。したがって、本発明によれば、室内における電気配線を施す間仕切り壁の立設位置を自由に設定でき、また、間仕切位置の立設位置を変更したり、追加したりする場合にも容易に対応できるものである。
【００２５】
尚、本発明においては、床スラブ３と床下地２との間の空間１３には図３に示すように給湯管３５、給水管３６、配水管３７等の配管を配置することができるものであり、この場合には床下地施工業者（フロア施工業者）による床下地２の施工に先だって配管業者が床スラブ３上に配管施工を行うものである。
【００２６】
このようにすると、給排水経路と前述の電気経路との分離が可能となる。
【図面の簡単な説明】
【００２７】
【図１】本発明の施工順序を示す説明図である。
【図２】同上の施工順序を示す説明図である。
【図３】同上の施工順序を示す説明図である。
【図４】同上の施工順序を示す説明図である。
【図５】同上の配線用凹溝部と下横枠内とに配線ケーブルを配線する部分の拡大斜視図である。
【図６】同上の配線用凹溝部と下横枠内とに配線ケーブルを配線する部分の拡大断面図である。
【図７】本発明の施工例を示す斜視図である。
【図８】本発明の他の施工例を示す斜視図である。
【図９】本発明に用いる下横枠の斜視図である。
【図１０】（ａ）乃至（ｅ）は従来例の施工順序を示す説明図である。
【符号の説明】
【００２８】
１  配線用凹溝部
２  床下地
３  床スラブ
４  間仕切り壁用骨組み体
５  配線ケーブル
６  下横枠
７  配線用ダクト部
８  スタッド
９  下側ケーブル通し孔
１０  上側ケーブル通し孔
１１  空間
１２  空所
１３  空間
【図１】
2005076282.tif 000003
【図２】
2005076282.tif 000004
【図３】
2005076282.tif 000005
【図４】
2005076282.tif 000006
【図５】
2005076282.tif 000007
【図６】
2005076282.tif 000008
【図７】
2005076282.tif 000009
【図８】
2005076282.tif 000010
【図９】
2005076282.tif 000011
【図１０】
2005076282.tif 000012